(57)【特許請求の範囲】
【請求項１】
カートリッジに収納された第１のディスクおよびカートリッジに収納されない第２のディスクのいずれも再生可能なコンパチブルディスク装置において、
ベースと、
該ベース上に配されかつモータからの回転力を前記第１のディスクに伝達する第１のターンテーブルと、
前記第２のディスクの再生に際して前記第１のターンテーブル上に装着され、当該第１のターンテーブルを介して前記モータからの回転力を前記第２のディスクに伝達する第２のターンテーブルと、
カムを有し、前記第２のターンテーブルをその一端に遊嵌保持する保持アームと、
前記ベースのうち前記第１のターンテーブルに支持された第１のディスク又は前記第２のターンテーブルに支持された第２のディスクのいずれからも離間する位置に立設された支軸と、
前記ベース上の支軸に配され、前記保持アームの他端を前記一端が前記支軸の軸方向に昇降可能に軸支し、前記支軸周りに前記ベース表面と平行な面で回動するサブベースと、
前記第１のディスクの挿入に応じてそのカートリッジと係合して挿入方向に前記ベース表面に沿って平行移動するモード切替部材と、
前記支軸に回動可能に配され、前記保持アームのカムに当接する当接部を有し、前記モード切替部材の一部と係合してその平行移動に伴って前記当接部を移動させることにより前記カム形状に応じて前記保持アームの一端を前記支軸の軸方向に揺動させるアーム制御部材と、
前記支軸に回動可能に配され、前記モード切替部材及び前記サブベースの一部と係合して前記モード切替部材の平行移動に伴い前記サブベースと共に前記保持アームを前記支軸周りに前記ベース表面と平行な面で回動させるレバーとを備えたコンパチブルディスク装置。
【請求項２】
ベース上の支軸に回動可能に配されかつ第１のディスクを装置内の所定位置に引き込む引込みアームをさらに備え、第１のディスクの再生モードにおいてモード切替部材は、前記引込みアームの一部と係合して第１のディスクの挿入に応じた平行移動に伴い前記引込みアームを退避位置まで回動する請求項１記載のコンパチブルディスク装置。
【請求項３】
モード切替部材は、アーム制御部材と係合する部分としてモード切替部材側係合ピンを有し、
アーム制御部材は、保持アームのカムに当接する当接部であるアーム制御部材側係合ピンと、前記モード切替部材側係合ピンに係合して前記モード切替部材の平行移動に伴う前記アーム制御部材側係合ピンの移動を自己の前記支軸周りの回動に変換する第１のカム部とからなり、
レバーは、前記モード切替部材側係合ピンと係合して前記モード切替部材の移動を自己の前記支軸周りの回動に変換する第２のカム部を有し、
前記モード切替部材の平行移動位置により規定される第１の区間では、前記レバーの第２のカム部が前記モード切替部材側係合ピンと係合せず、前記第１のカム部と係合して前記アーム制御部材側係合ピンの移動により前記保持アームの一端が揺動して前記第１のターンテーブルから第２のターンテーブルを離間し、
前記第１の区間よりさらに平行移動した第２の区間に前記モード切替部材が達すると、前記レバーの第２のカム部及び前記第１のカム部が前記モード切替部材側係合ピンと係合することにより、前記サブベースを前記支軸周りに前記ベース表面と平行な面で回動して前記保持アームを退避領域まで移動する請求項１記載のコンパチブルディスク装置。
【請求項４】
カートリッジに収納された第１のディスクおよびカートリッジに収納されない第２のディスクのいずれも再生可能なコンパチブルディスク装置において、
ベースと、
該ベース上に配されかつモータからの回転力を前記第１のディスクに伝達する第１のターンテーブルと、
前記第２のディスクの再生に際して前記第１のターンテーブル上に装着され、当該第１のターンテーブルを介して前記モータからの回転力を前記第２のディスクに伝達する第２のターンテーブルと、
該第２のターンテーブルに前記第２のディスクをクランプするクランパと、
カムを有し、前記クランパをその一端に保持するクランパアームと、
前記ベースのうち前記第１のターンテーブルに支持された第１のディスク又は前記第２のターンテーブルに支持された第２のディスクのいずれからも離間する位置に立設された支軸と、
前記ベース上の支軸に配され、前記クランパアームの他端を前記一端が前記支軸の軸方向に昇降可能に軸支し、前記支軸周りに前記ベース表面と平行な面で回動するサブベースと、
前記第１のディスクの挿入に応じてそのカートリッジと係合して挿入方向に前記ベース表面に沿って平行移動するモード切替部材と、
前記支軸に回動可能に配され、前記クランパアームのカムに当接する当接部を有し、前記モード切替部材の一部と係合してその平行移動に伴って前記当接部を移動させることにより前記カム形状に応じて前記クランパアームの一端を前記支軸の軸方向に揺動させるアーム制御部材と、
前記支軸に回動可能に配され、前記モード切替部材及び前記サブベースの一部と係合して前記モード切替部材の平行移動に伴い前記サブベースと共に前記クランパアームを前記支軸周りに前記ベース表面と平行な面で回動させるレバーとを備えたコンパチブルディスク装置。
【請求項５】
ベース上の支軸に回動可能に配されかつ第１のディスクを装置内の所定位置に引き込む引込みアームをさらに備え、第１のディスクの再生モードにおいてモード切替部材は、前記引込みアームの一部と係合して第１のディスクの挿入に応じた平行移動に伴い前記引込みアームを退避位置まで回動する請求項４記載のコンパチブルディスク装置。
【請求項６】
モード切替部材は、アーム制御部材と係合する部分としてモード切替部材側係合ピンを有し、
アーム制御部材は、クランパアームのカムに当接する当接部であるアーム制御部材側係合ピンと、前記モード切替部材側係合ピンと係合して前記モード切替部材の平行移動に伴う前記アーム制御部材側係合ピンの移動を自己の前記支軸周りの回動に変換する第１のカム部とからなり、
レバーは、前記モード切替部材側係合ピンと係合して前記モード切替部材の移動を自己の前記支軸周りの回動に変換する第２のカム部を有し、
前記モード切替部材の平行移動位置により規定される第１の区間では、前記レバーの第２のカム部が前記モード切替部材側係合ピンと係合せず、前記第１のカム部とのみ係合して前記アーム制御部材側係合ピンの移動により前記クランパアームの一端が揺動して第２のディスクのクランプを解除し、
前記第１の区間よりさらに平行移動した第２の区間に前記モード切替部材が達すると、前記レバーの第２のカム部及び前記第１のカム部が前記モード切替部材側係合ピンと係合することにより、前記サブベースを前記支軸周りに前記ベース表面と平行な面で回動して前記クランパアームを退避領域まで移動する請求項４記載のコンパチブルディスク装置。
【請求項７】
カートリッジに収納された第１のディスクおよびカートリッジに収納されない第２のディスクのいずれも再生可能なコンパチブルディスク装置において、
ベースと、
該ベース上に配されかつモータからの回転力を前記第１のディスクに伝達する第１のターンテーブルと、
前記第２のディスクの再生に際して前記第１のターンテーブル上に装着され、当該第１のターンテーブルを介して前記モータからの回転力を前記第２のディスクに伝達する第２のターンテーブルと、
カムを有し、前記第２のターンテーブルをその一端に遊嵌保持する保持アームと、
前記第２のターンテーブルに前記第２のディスクをクランプするクランパと、
カムを有し、前記クランパをその一端に保持するクランパアームと、
前記ベースのうち前記第１のターンテーブルに支持された第１のディスク又は前記第２のターンテーブルに支持された第２のディスクのいずれからも離間する位置に立設された支軸と、
前記ベース上の支軸に配され、前記保持アーム及び前記クランパアームの他端をこれらの一端が前記支軸の軸方向に昇降可能に同軸に軸支し、前記支軸周りに前記ベース表面と平行な面で回動するサブベースと、
前記第１のディスクの挿入に応じてそのカートリッジと係合して挿入方向に前記ベース表面に沿って平行移動するモード切替部材と、
前記支軸に回動可能に配され、前記保持アーム及び前記クランパアームのカムに当接する当接部を有し、前記モード切替部材の一部と係合してその平行移動に伴って前記当接部を移動させることにより前記カム形状に応じて前記第２のターンテーブルと前記クランパが上下に重ね合わさった状態で前記保持アーム及び前記クランパアームの一端を前記支軸の軸方向に揺動させるアーム制御部材と、
前記支軸に回動可能に配され、前記モード切替部材及び前記サブベースの一部と係合して前記モード切替部材の平行移動に伴い前記サブベースと共に前記保持アーム及び前記クランパアームを前記支軸周りに前記ベース表面と平行な面で回動させるレバーとを備えたコンパチブルディスク装置。
【請求項８】
ベース上の支軸に回動可能に配されかつ第１のディスクを装置内の所定位置に引き込む引込みアームをさらに備え、第１のディスクの再生モードにおいてモード切替部材は、前記引込みアームの一部と係合して第１のディスクの挿入に応じた平行移動に伴い前記引込みアームを退避位置まで回動する請求項７記載のコンパチブルディスク装置。
【請求項９】
モード切替部材は、アーム制御部材と係合する部分としてモード切替部材側係合ピンを有し、
アーム制御部材は、保持アーム及びクランパアームのカムに当接する当接部であるアーム制御部材側係合ピンと、前記モード切替部材側係合ピンと係合して前記モード切替部材の平行移動に伴う前記アーム制御部材側係合ピンの移動を自己の前記支軸周りの回動に変換する第１のカム部とからなり、
レバーは、前記モード切替部材側係合ピンと係合して前記モード切替部材の移動を自己の前記支軸周りの回動に変換する第２のカム部を有し、
前記モード切替部材の平行移動位置により規定される第１の区間では、前記レバーの第２のカム部が前記モード切替部材側係合ピンと係合せず、前記第１のカム部とのみ係合して前記アーム制御部材側係合ピンの移動により前記保持アーム及び前記クランパアームの一端が揺動して前記第１のターンテーブルからの第２のターンテーブルの離間及び第２のディスクのクランプ解除を行い、
前記第１の区間よりさらに平行移動した第２の区間に前記モード切替部材が達すると、前記レバーの第２のカム部及び前記第１のカム部が前記モード切替部材側係合ピンと係合することにより、前記サブベースを前記支軸周りに前記ベース表面と平行な面で回動して前記保持アーム及び前記クランパアームを退避領域まで移動する請求項７記載のコンパチブルディスク装置。
【発明の詳細な説明】
【技術分野】
【０００１】
この発明は、カートリッジに収納されたミニディスク（ＭＤ）等の第１のディスクと、カートリッジに収納されていないコンパクトディスク（ＣＤ）等の第２のディスクとをコンパチブルに再生できるコンパチブルディスク装置に関するものであり、さらに詳しくは第２のディスクを回転駆動するターンテーブル又はクランパを第１のディスクの装填および再生に支障の無い位置に退避させる機構を備えたコンパチブルディスク装置に関するものである。
【背景技術】
【０００２】
第１図（Ａ）から第１図（Ｃ）は、例えば特許文献１に示された従来のＭＤ−ＣＤコンパチブルディスク装置の構成を示す図であり、第１図（Ａ）は、第１のディスクとしてのＭＤが装置に挿入された状態の装置内部を示す正面図であり、第１図（Ｂ）は第１図（Ａ）に示したＭＤが再生位置に装着された状態の装置内部を示す正面図であり、第１図（Ｃ）は第２のディスクとしてのＣＤが再生位置に装着された状態の装置内部を示す正面図である。
【０００３】
第１図（Ａ）から第１図（Ｃ）において、１はコンパチブルディスク装置のベース、２は筐体、３は筐体２内の昇降モータＭにより昇降可能とされたサブベースである。このサブベース３の中央部には上記第１のディスクＡ又は第２のディスクＢを回転させるためのスピンドルモータ４が固定されている。スピンドルモータ４にはカートリッジＣに収納された第１のディスクＡの中心孔を位置決めすると共に、受け面（図示せず）で担持して第１のディスクＡを回転駆動させるための第１のターンテーブル５が同軸上に固定されている。６はサブベース３上を上記第１のディスクＡ又は第２のディスクＢの半径方向に往復移動可能でかつ上記第１のディスクＡ又は第２のディスクＢに対して情報の読取動作を行う光ピックアップであり、７はカートリッジＣに収納されない第２のディスクＢの中心孔を位置決めすると共に、受け面（図示せず）で担持して第２のディスクＢを回転駆動させるための第２のターンテーブルであり、８は第２のターンテーブル７を保持する保持部材である。
【０００４】
この保持部材８は上記第２のターンテーブル７と協同して上記第２のディスクＢを保持するものであり、筐体２に対して緩衝保持されている。９は第２のターンテーブル７上に載置された第２のディスクＢをクランプするクランパ１０を保持するクランパホルダである。これらクランパホルダ９およびクランパ１０は上記第２のターンテーブル７に対して昇降可能であり、第１のディスクＡの装着モード時には筐体２の天井部近傍の上昇位置に停止し、第２のディスクＢの装着モード時には下降位置に停止して上記第２のターンテーブル７との間で上記第２のディスクＢをクランプ固定するものである。１１は第１のディスクＡのカートリッジＣを保持、案内するガイド部材である。
【０００５】
次に動作について説明する。
第１のディスクＡの再生に際しては、まず第１図（Ａ）に示すように、カートリッジＣがガイド部材１１に挿入されると、昇降モータＭの動作によって、サブベース３が図中矢印Ｅ方向に上昇し、第１のターンテーブル５が第１のディスクＡにおける所定のクランプエリアに当接する位置、すなわち第１図（Ｂ）に示す状態まで移動する。次に、スピンドルモータ４が回転することによって、第１のディスクＡを回転させ、再生動作を行う。
【０００６】
また、第２のディスクＢの再生に際しては、保持部材８とクランパ１０との間の間隙に第２のディスクＢが挿入され、次いで昇降モータＭの動作によって、サブベース３が第１のターンテーブル５が第２のディスクＢにおける所定のクランプエリアに当接する位置、即ち第１図（Ｃ）に示す状態まで図中矢印Ｅ方向に上昇する。このとき、クランパホルダ９も図中矢印Ｆ方向に下降動作を行い、第２のディスクＢを第２のターンテーブル７との間で挟持する。また、サブベース３が上昇するための空間を設けるために、ガイド部材１１も横方向へ待避動作を行う。このような一連の動作終了後に、スピンドルモータ４が回転することによって、第１のターンテーブル５と、これと接合している第２のターンテーブル７が回転駆動し、これにより第２のディスクＢを回転させて、再生動作を行う。
【０００７】
［従来技術２］
第２図、第３図および第４図（Ａ）から第４図（Ｃ）は、例えば特許文献２に示された従来のＭＤ−ＣＤコンパチブルディスク装置の構成を示す図であり、第２図はベース上に配置された各構成要素を示す斜視図であり、第３図はディスクホルダの構成を示す斜視図であり、第４図（Ａ）から第４図（Ｃ）はターンテーブルの退避動作を説明するための正面図である。なお、この従来技術２の構成要素のうち、上記従来技術１の構成要素と共通するものについては同一符号を付し、その部分の説明を省略する。
【０００８】
第２図に示すように、ベース１にはスピンドルモータ４近傍に向って延在する細長い開口部１ａが形成され、ベース１の下面には光ピックアップ６が上記開口部１ａの長さ方向に沿って往復移動可能に配設されている。また、ベース１には回動軸１２が植設され、この回動軸１２には保持アーム１３が回動軸１２の軸方向にも摺動可能に保持され、この保持アーム１３には第２のターンテーブル７が遊嵌保持されている。
【０００９】
第２図において１４は保持アーム１３に形成され、かつ駆動モータ１５の駆動力をギア１６およびギア１７を介して伝達するギア部である。１８は第４図（Ａ）から第４図（Ｃ）にも示すようにベース１の回動軸１２の近傍に形成され、かつ保持アーム１３の回動により規定される仮想円の円周の一部に沿って起伏するカム面を有する三角カムである。一方、１９は上記保持アーム１３の裏面のうち上記三角カム１８に対向する位置に形成され、かつ上記保持アーム１３の回動時に上記三角カム１８のカム面上を摺動するボスである。
第３図において２０は支軸２１によりベース１に揺動自在に支持されたディスクホルダ組立て体であり、２２は開口部２３を有する箱状のディスクホルダである。このディスクホルダ２２の天面部には、クランパ１０が遊嵌保持されており、このクランパ１０と共にディスクホルダ２２はディスクホルダ組立て体２０に対して第３図中矢印Ｑ１−Ｑ２方向へ摺動可能である。
【００１０】
次に動作について説明する。
まず、第２のターンテーブル７が第１のターンテーブル５上に装着された状態にある場合に、第２のディスクとしてのＣＤの再生に際して、開口部２３よりＣＤを挿入すると、駆動源（図示せず）によってディスクホルダ２２が矢印Ｑ１方向へ移動し、ディスクホルダ組立て体２０が支軸２１を支点として下方へ揺動し、クランパ１０がＣＤを第２のターンテーブル７上に押圧して、ＣＤの装着を完了する。その後、スピンドルモータ４が回転して再生動作を開始する。
【００１１】
次に、第１のディスクとしてのＭＤの再生に際しては、ディスクホルダ２２の開口部２３へのカートリッジ（図示せず）の挿入がセンサ（図示せず）により検出されると、駆動モータ１５の回転駆動力がギア１６、ギア１７およびギア部１４を介して保持アーム１３を矢印Ｙ方向へ回動させる。この回動動作に伴って、第４図（Ａ）から第４図（Ｃ）に示すように、保持アーム１３はボス１９が三角カム１８の斜面に沿って摺動することによって昇降動作する。このため、保持アーム１３に保持された第２のターンテーブル７も回動しつつ第１のターンテーブル５から離間することから、三角カム１８の頂点を通過した後は、第２のターンテーブル７は回動して第１のディスクから待避しつつ下降し、第１のディスクのカートリッジ（図示せず）と平面的に干渉しない位置まで至って停止する。
【００１２】
この動作と並行して、駆動源（図示せず）によってディスクホルダ２２が矢印Ｑ１方向へ移動し、さらにディスクホルダ組立て体２０が支軸２１を支点として下方へ揺動して、カートリッジの第１のターンテーブル５への装着を完了する。その後、スピンドルモータ４が回転して再生動作を開始する。
【００１３】
【特許文献１】
特開平７−２２０３５５号公報
【特許文献２】
特開平９−２３１６５４号公報
【発明の開示】
【発明が解決しようとする課題】
【００１４】
まず、従来技術１に係るコンパチブルディスク装置では、第１のディスクおよび第２のディスクの何れの再生状態においても、第１のターンテーブル５と第２のターンテーブル７とを上下方向に重ねた状態としているために、薄型化できないという課題があった。
【００１５】
また、従来技術２に係るコンパチブルディスク装置では、第２のターンテーブル７を、第１のディスクのカートリッジと平面的に干渉しない位置に待避するため、奥行き寸法が大になり、小型化できないという課題があった。
【００１６】
さらに、従来技術１又は従来技術２に係るコンパチブルディスク装置では、いずれも第２のターンテーブル７とクランパ１０とを合わせて退避させるという技術思想が開示されておらず、このため装置を薄型化できないという課題があった。
【００１７】
この発明は上記のような課題を解決するためになされたもので、高さ寸法、及び奥行き寸法を小型化したコンパチブルディスク装置を得ることを目的とする。
【課題を解決するための手段】
【００１８】
この発明に係るコンパチブルディスク装置は、カートリッジに収納された第１のディスクおよびカートリッジに収納されない第２のディスクのいずれも再生可能なコンパチブルディスク装置において、ベースと、該ベース上に配されかつモータからの回転力を前記第１のディスクに伝達する第１のターンテーブルと、前記第２のディスクの再生に際して前記第１のターンテーブル上に装着され、当該第１のターンテーブルを介して前記モータからの回転力を前記第２のディスクに伝達する第２のターンテーブルと、カムを有し、前記第２のターンテーブルをその一端に遊嵌保持する保持アームと、前記第２のターンテーブルに前記第２のディスクをクランプするクランパと、カムを有し、前記クランパをその一端に保持するクランパアームと、前記ベースのうち前記第１のターンテーブルに支持された第１のディスク又は前記第２のターンテーブルに支持された第２のディスクのいずれからも離間する位置に立設された支軸と、前記ベース上の支軸に配され、前記保持アーム及び前記クランパアームの他端をこれらの一端が前記支軸の軸方向に昇降可能に同軸に軸支し、前記支軸周りに前記ベース表面と平行な面で回動するサブベースと、前記第１のディスクの挿入に応じてそのカートリッジと係合して挿入方向に前記ベース表面に沿って平行移動するモード切替部材と、前記支軸に回動可能に配され、前記保持アーム及び前記クランパアームのカムに当接する当接部を有し、前記モード切替部材の一部と係合してその平行移動に伴って前記当接部を移動させることにより前記カム形状に応じて前記第２のターンテーブルと前記クランパが上下に重ね合わさった状態で前記保持アーム及び前記クランパアームの一端を前記支軸の軸方向に揺動させるアーム制御部材と、前記支軸に回動可能に配され、前記モード切替部材及び前記サブベースの一部と係合して前記モード切替部材の平行移動に伴い前記サブベースと共に前記保持アーム及び前記クランパアームを前記支軸周りに前記ベース表面と平行な面で回動させるレバーとを備えたものである。
【００１９】
また、この発明に係るコンパチブルディスク装置は、ベース上の支軸に回動可能に配されかつ第１のディスクを装置内の所定位置に引き込む引込みアームをさらに備え、第１のディスクの再生モードにおいてモード切替部材は、前記引込みアームの一部と係合して第１のディスクの挿入に応じた平行移動に伴い前記引込みアームを退避位置まで回動するものである。
【００２０】
また、この発明に係るコンパチブルディスク装置は、モード切替部材が、アーム制御部材と係合する部分としてモード切替部材側係合ピンを有し、アーム制御部材は、保持アーム及びクランパアームのカムに当接する当接部であるアーム制御部材側係合ピンと、前記モード切替部材側係合ピンと係合して前記モード切替部材の平行移動に伴う前記アーム制御部材側係合ピンの移動を自己の前記支軸周りの回動に変換する第１のカム部とからなり、レバーは、前記モード切替部材側係合ピンと係合して前記モード切替部材の移動を自己の前記支軸周りの回動に変換する第２のカム部を有し、前記モード切替部材の平行移動位置により規定される第１の区間では、前記レバーの第２のカム部が前記モード切替部材側係合ピンと係合せず、前記第１のカム部とのみ係合して前記アーム制御部材側係合ピンの移動により前記保持アーム及び前記クランパアームの一端が揺動して前記第１のターンテーブルからの第２のターンテーブルの離間及び第２のディスクのクランプ解除を行い、前記第１の区間よりさらに平行移動した第２の区間に前記モード切替部材が達すると、前記レバーの第２のカム部及び前記第１のカム部が前記モード切替部材側係合ピンと係合することにより、前記サブベースを前記支軸周りに前記ベース表面と平行な面で回動して前記保持アーム及び前記クランパアームを退避領域まで移動するものである。
【発明の効果】
【００２１】
この発明によれば、カートリッジに収納された第１のディスクおよびカートリッジに収納されない第２のディスクのいずれも再生可能なコンパチブルディスク装置において、ベースと、該ベース上に配されかつモータからの回転力を前記第１のディスクに伝達する第１のターンテーブルと、前記第２のディスクの再生に際して前記第１のターンテーブル上に装着され、当該第１のターンテーブルを介して前記モータからの回転力を前記第２のディスクに伝達する第２のターンテーブルと、カムを有し、前記第２のターンテーブルをその一端に遊嵌保持する保持アームと、前記第２のターンテーブルに前記第２のディスクをクランプするクランパと、カムを有し、前記クランパをその一端に保持するクランパアームと、前記ベースのうち前記第１のターンテーブルに支持された第１のディスク又は前記第２のターンテーブルに支持された第２のディスクのいずれからも離間する位置に立設された支軸と、前記ベース上の支軸に配され、前記保持アーム及び前記クランパアームの他端をこれらの一端が前記支軸の軸方向に昇降可能に同軸に軸支し、前記支軸周りに前記ベース表面と平行な面で回動するサブベースと、前記第１のディスクの挿入に応じてそのカートリッジと係合して挿入方向に前記ベース表面に沿って平行移動するモード切替部材と、前記支軸に回動可能に配され、前記保持アーム及び前記クランパアームのカムに当接する当接部を有し、前記モード切替部材の一部と係合してその平行移動に伴って前記当接部を移動させることにより前記カム形状に応じて前記第２のターンテーブルと前記クランパが上下に重ね合わさった状態で前記保持アーム及び前記クランパアームの一端を前記支軸の軸方向に揺動させるアーム制御部材と、前記支軸に回動可能に配され、前記モード切替部材及び前記サブベースの一部と係合して前記モード切替部材の平行移動に伴い前記サブベースと共に前記保持アーム及び前記クランパアームを前記支軸周りに前記ベース表面と平行な面で回動させるレバーとを備えたものである。このことによって、第１のディスク再生に際しては、第２のターンテーブル又はクランパアームを第１のディスクの奥方かつ下方に待避させることができ、高さ寸法及び、奥行き寸法を小型化したコンパチブルディスク装置を得ることができる。また、退避動作時に保持アーム又はクランパアームの揺動を制御することができるので、第２のターンテーブル又はクランパの損傷を防止することができる。さらに、モード切替え部材による単一の駆動手段の動作で、第２のターンテーブル又はクランパの平面方向の回動動作と昇降動作を制御することができる。
【００２２】
また、この発明によれば、ベース上の支軸に回動可能に配されかつ第１のディスクを装置内の所定位置に引き込む引込みアームをさらに備え、第１のディスクの再生モードにおいてモード切替部材は、前記引込みアームの一部と係合して第１のディスクの挿入に応じた平行移動に伴い前記引込みアームを退避位置まで回動するので、第２のターンテーブル又はクランパの退避機構と、第１のディスクの引き込み機構をコンパクトに集約したコンパチブルディスク装置を得ることができる。
【００２３】
また、この発明によれば、モード切替部材が、アーム制御部材と係合する部分としてモード切替部材側係合ピンを有し、アーム制御部材が、保持アーム及びクランパアームのカムに当接する当接部であるアーム制御部材側係合ピンと、前記モード切替部材側係合ピンと係合して前記モード切替部材の平行移動に伴う前記アーム制御部材側係合ピンの移動を自己の前記支軸周りの回動に変換する第１のカム部とからなり、レバーが、前記モード切替部材側係合ピンと係合して前記モード切替部材の移動を自己の前記支軸周りの回動に変換する第２のカム部を有し、前記モード切替部材の平行移動位置により規定される第１の区間では、前記レバーの第２のカム部が前記モード切替部材側係合ピンと係合せず、前記第１のカム部とのみ係合して前記アーム制御部材側係合ピンの移動により前記保持アーム及び前記クランパアームの一端が揺動して前記第１のターンテーブルからの第２のターンテーブルの離間及び第２のディスクのクランプ解除を行い、前記第１の区間よりさらに平行移動した第２の区間に前記モード切替部材が達すると、前記レバーの第２のカム部及び前記第１のカム部が前記モード切替部材側係合ピンと係合することにより、前記サブベースを前記支軸周りに前記ベース表面と平行な面で回動して前記保持アーム及び前記クランパアームを退避領域まで移動するものである。このことによって、モード切替え部材による単一の駆動手段の動作で、第２のターンテーブル又はクランパの上下方向の揺動動作の制御を、再生位置・退避位置の何れの位置でも行うことができるコンパチブルディスク装置を得ることができる。
【発明を実施するための最良の形態】
【００２４】
実施の形態１．
第５図から第１６図は、この発明の実施の形態１によるコンパチブルディスク装置の構成図であり、第５図はコンパチブルディスク装置内の構成を示す斜視図、第６図は第５図の分解斜視図、第７図は第６図に示したサブベース組立体の分解斜視図、第８図はターンテーブルおよびクランパの構成を示す拡大断面図である。なお、この実施の形態１の構成要素のうち、上記従来技術１および従来技術２の構成要素と共通するものについては同一符号を付し、その部分の詳細な説明を省略する。
【００２５】
図において１００はコンパチブルディスク装置の各構成要素を搭載する平板状のベースである。ベース１００の中央部にはスピンドルモータ４が配設され、このスピンドルモータ４には第１のターンテーブル５が固着されている。また、ベース１００上には上記第１のターンテーブル５等に装着される第１のディスクＡ等の一半径方向に対して平行に延在する一対のガイドレール１０１が配設され、これらガイドレール１０１には光ピックアップ６が摺動可能に配設されている。
【００２６】
さらに、ベース１００上には上記スプンドルモータ４を基準にガイドレール１０１の配設位置とは反対側の位置に支軸１１０が立設されている。この支軸１１０にはサブベース組立体１１１が昇降可能かつ回動可能に遊嵌保持されている。サブベース組立体１１１は第５図および第６図に示すように上記第１のターンテーブル５上に装着される第２のターンテーブル７を支持する保持アーム１１２および上記第２のターンテーブル７との間に第２のディスクをクランプするクランパ１０を支持するクランパアーム１１３を片持ち梁状に遊嵌保持している。保持アーム１１２およびクランパアーム１１３の各基端部にはカム１１２ａおよびカム１１３ａが形成されている。
【００２７】
また、保持アーム１１２およびクランパアーム１１３の各基端部は支軸１１４に軸支されており、この支軸１１４により保持アーム１１２およびクランパアーム１１３は矢印Ａ方向又はＢ方向に回動可能である。なお、第６図において１１２ｂはサブベース組立体１１１と保持アーム１１２との間に張設されて保持アーム１１２を矢印Ｂ方向へ付勢するためのばねであり、１１３ｂはクランパアーム１１３を矢印Ｂ方向へ付勢してクランプ力を発生するためのばねである。
【００２８】
また、上記支軸１１０には引込みアーム１１５が回動可能に支持されている。引込みアーム１１５の先端部にはカートリッジホルダ１１６と係合するためのピン１１５ａが立設され、基端部にはカム１１５ｂが形成されている。カートリッジホルダ１１６は第１のディスクのカートリッジの挿入先端部を保持して第６図中の矢印Ｇ方向又はＨ方向に往復移動可能であり、矢印Ｇ方向又はＨ方向に交差する方向に延在しかつ引込みアーム１１５のピン１１５ａと係合する溝１１６ａを有している。
【００２９】
第６図において１２０は上記ベース１００の奥側の一部に一段高く形成された台部である。台部１２０上には矢印Ｋ方向又はＪ方向と直交する方向に離間する一対のボス１２１が形成され、台部１２０近傍のベース１００上にはベース１００の上面に平行な支軸１２２が設けられている。また、ベース１００の上記支軸１１０近傍には屈曲加工により矢印Ｋ方向又はＪ方向に沿う立設部１２３が形成され、この立設部１２３の一部にはボス１２４、切欠き部１２５および切欠き部１２６がそれぞれ形成されている。
【００３０】
第６図において１３０はこの実施の形態１によるコンパチブルディスク装置に装着されるディスクの種類に応じて装置内の構成要素の配置を変更するためのモード切替え部材である。モード切替え部材１３０は摺動部１３１とこの摺動部１３１と一体に形成されたカム部１４０とから概略構成されている。摺動部１３１は上記ベース１００の台部１２０上を摺動する平板部１３２と、この平板部１３２に互いに平行に形成されかつ上記ボス１２１との遊嵌が可能な一対の長孔１３３とを有している。カム部１４０は上記摺動部１３１の平板部１３２と直交する方向に形成されたカム板１４１と、このカム板１４１に形成されたカム溝１４２と、矢印Ｕ２方向に立設された案内ピン１４３と、矢印Ｕ１方向に立設されかつ上記引込みアーム１１５のカム１１５ｂに当接する案内ピン１４４とから概略構成されている。カム溝１４２は上記支軸１１０側に形成されかつベース１００に対して所定の高さを有する上水平部分と上記支軸１１０から離間する側に形成されかつベース１００に対して上記上水平部分より低い下水平部分とこれら両水平部分間を連絡する傾斜部分とから構成されている。
【００３１】
第６図において１５０はベース１００に設けられた支軸１２２に支持されて図中矢印Ｌ方向又は矢印Ｍ方向に揺動自在なレバーで、その一面にはモード切替え部材１３０のカム部１４０のカム溝１４２に上記ベース１００の立設部１２３の切欠き部１２５を介して係合するピン１５１が立設されている。また、レバー１５０はベース１００の立設部１２３のボス１２４と係合する長孔１５２と、サブベース組立体１１１内の後述するピンと係合する角溝１５３とを有している。
【００３２】
上記サブベース組立体１１１は、第７図に示すように保持アーム１１２およびクランパアーム１１３を共通の支軸１１４で回動可能に支持するサブベース１６０と、保持アーム１１２のカム１１２ａおよびクランパアーム１１３のカム１１３ａと当接するピン１６１ａおよびモード切替え部材１３０のカム部１４０の案内ピン１４３と係合するカム溝１６１ｂを有するアーム制御部材１６１と、上記モード切替え部材１３０のカム部１４０の案内ピン１４３と当接する第１カム１６２ａおよびサブベース１６０の一部にばね１６２ｂにより付勢されて当接する突起部１６２ｃを有するレバー１６２と、上記レバー１５０の角溝１５３に上記ベース１００の立設部１２３の切欠き部１２６を介して係合するピン１６３ａを有するプレート１６３と、レバー１６２とアーム制御部材１６１を下方から貫通してサブベース１６０に固着される第１円筒ブシュ１６４と、この第１円筒ブシュ１６４を貫通してプレート１６３と固着されかつ支軸１１０に軸支される第２円筒ブシュ１６５とから概略構成されている。
【００３３】
以上のように構成されたサブベース組立体１１１では、プレート１６３、サブベース１６０、アーム制御部材１６１およびレバー１６２が第１円筒ブシュ１６４と第２円筒ブシュ１６５の共通の中心軸周りにそれぞれ独立して回動することができ、かつ一体となって矢印Ｕ１方向又はＵ２方向に昇降することが可能である。このため、サブベース１６０により揺動可能に支持された保持アーム１１２およびクランパアーム１１３も回動可能かつ昇降可能となることから、第１のディスクＡの再生に際して保持アーム１１２に支持された第２のターンテーブル７を第１のターンテーブル４から支障の無い位置に退避させることができると共に、その退避位置でクランパアーム１１３に支持されたクランパ１０を下降させておくことができる。
【００３４】
ここで、第８図を参照して第１のターンテーブル５と第２のターンテーブル７の構成を説明する。第１のターンテーブル５には、第１のディスクＡの芯出しのための円筒部５ａと、受け面５ｂが形成されている。この第１のターンテーブル５はスピンドルモータ４に固着されており、カートリッジＣに収納された第１のディスクＡの中心孔を位置決めしかつ受け面５ｂで担持して第１のディスクＡを回転駆動させるものである。また、第２のターンテーブル７は、円筒部５ａと嵌合する円筒状凹部７ａと、受け面５ｂと当接するための当接面７ｂと、第２のディスクＢの芯出しのための円筒部７ｃと、受け面７ｄとを備えている。この第２のターンテーブル７は保持アーム１１２に遊嵌保持されており、カートリッジＣに収納されない第２のディスクＢの中心孔を位置決めしかつ受け面７ｄで担持して第２のディスクＢを回転駆動させるものである。第２のターンテーブル７上に装着された第２のディスクＢは再生に際しクランパアーム１１３に支持されたクランパ１０により第２のターンテーブル７上にクランプされる。
【００３５】
次に、第２のディスクＢを装填・再生する際の動作について第９図（Ａ）から第１０図（Ｂ）等を参照して説明する。
第９図（Ａ）は第２のディスクＢを装填する前の状態を示す斜視図であり、第９図（Ｂ）は第９図（Ａ）中の矢印Ｘ方向からの矢視図であり、第１０図（Ａ）は第９図（Ａ）および第９図（Ｂ）に関連して第２のディスクＢを装填した状態を示す斜視図であり、第１０図（Ｂ）は第１０図（Ａ）中の矢印Ｘ方向からの矢視図であり、第１４図（Ａ）から第１４図（Ｃ）はモード切替え部材１３０に応動するカム部材１４０の構成を示す平面図であり、第１５図（Ａ）から第１５図（Ｄ）はモード切替え部材１３０に応動するアーム制御部材１６１の構成を示す正面図であり、第１６図はこの実施の形態１によるコンパチブルディスク装置の各構成要素の動作を示すタイミングチャートである。
【００３６】
まず、第９図（Ａ）および第９図（Ｂ）に示すように、第２のターンテーブル７は第１のターンテーブル５上に装着され、保持アーム１１２はばね１１２ｂで付勢されて所定の位置決め部材（図示せず）に当接しており、第２のターンテーブル７と保持アーム１１２とは接触しない状態にある。この状態で、第２のディスクＢがクランパ１０と第２のターンテーブル７との間の間隙にローディング機構（図示せず）によって導入されると、第２のディスクＢが所定位置に至ったことを検知するトリガ機構（図示せず）によってクラッチ機構（図示せず）が作動し、モード切替え部材１３０が矢印Ｋ方向へ移動する。ここで詳細な動作をレバー１６２の第１カム１６２ａとアーム制御部材１６１の第２カム溝１６１ｂまわりを拡大した第１４図（Ａ）から第１４図（Ｃ）と、保持アーム１１２のカム１１２ａとクランパアーム１１３のカム１１３ａまわりを拡大した第１５図（Ａ）から第１５図（Ｄ）を参照して説明する。
【００３７】
第１４図（Ａ）はこの時の案内ピン１４３と第１カム１６２ａおよび第２カム溝１６１ｂとの関係を示す。案内ピン１４３は第１カム１６２ａに対しては案内ピン１４３の移動方向に平行である平行部Ｐに当接しているため案内ピン１４３が移動してもレバー１６２は回動しない。一方、案内ピン１４３は第２カム溝１６１ｂに対しては案内ピン１４３の移動方向と交差する方向に沿う傾斜部Ｓに当接しているため、案内ピン１４３を備えたモード切替え部材１３０のJ方向への移動に応動して、アーム制御部材１６１は矢印Ｄ方向へ回動する。この際、ピン１６１ａは第１５図（Ａ）から第１５図（Ｂ）に示すようにカム１１３ａの傾向部Ｐから傾斜部Ｓ１に至り、クランパアーム１１３はばね１１３ｂに付勢され矢印Ｂ方向へ揺動し、第１０図（Ａ）および第１０図（Ｂ）に示すようにクランパ１０が第２のディスクＢを第２のターンテーブル７に押圧する。次に、スピンドルモータ４が回転して、第２のディスクＢに回転駆動力が伝達されて再生動作を開始する。
【００３８】
次に、第１のディスクＡを装填・再生する際の動作について第１１図（Ａ）から第１３図（Ｂ）等を参照して説明する。
第１１図（Ａ）は第１のディスクＡを装置内に挿入する状態を示す斜視図であり、第１１図（Ｂ）は第１１図（Ａ）中の矢印Ｘ方向からの矢視図であり、第１２図（Ａ）は第１１図（Ａ）および第１１図（Ｂ）に関連して第１のディスクＡを装填する前に第２のターンテーブル７およびクランパ１０を退避させた状態を示す斜視図であり、第１２図（Ｂ）は第１２図（Ａ）中の矢印Ｘ方向からの矢視図であり、第１３図（Ａ）は第１のディスクＡを装填した状態を示す斜視図であり、第１３図（Ｂ）は第１３図（Ａ）中の矢印Ｘ方向からの矢視図である。
【００３９】
まず、第１１図（Ａ）および第１１図（Ｂ）に示すように、第１のディスクＡのカートリッジＣがローディング機構（図示せず）によって矢印Ｈ方向に挿入されると、第１のディスクＡが所定位置に至ったことを検知するトリガ機構（図示せず）によってクラッチ機構（図示せず）が作動し、案内ピン１４３を備えたモード切替え部材１３０が矢印Ｊ方向へ移動を開始する。第１４図（Ｂ）に示すように、この移動の第１区間ではレバー１６２は回動せず、アーム制御部材１６１が矢印Ｃ方向へ回動する。この回動に応じて、ピン１６１ａは第１５図（Ｃ）に示すようにカム１１２ａを矢印Ａ方向に押し上げて保持アーム１１２を揺動させ、第２のターンテーブル７は第１１図（Ａ）および第１１図（Ｂ）に示すように第１のターンテーブル５から離間してクランパ１０と重ね合わせられる。
【００４０】
さらに、モード切替え部材１３０が移動して第１６図に示す第２区間に至ると、案内ピン１４３と第１カム１６２ａおよび第２カム溝１６１ｂの作用により、サブベース組立体１１１に揺動可能に支持されたクランパアーム１１３および保持アーム１１２が第１２図（Ａ）および第１２図（Ｂ）に示すように矢印Ｃ方向へ所定の待避位置まで一体に回動する。この退避位置は、第１のディスクＡに接触しない位置であって、例えばスピンドルモータ４を基準にしてディスク挿入口（図示せず）とは反対位置である。
【００４１】
さらに、モード切替え部材１３０が移動して第１６図に示す第３区間に至ると、再び案内ピン１４３に応じて第２カム溝１６１ｂがＣ方向へ回動され、第１５図（Ｄ）に示すようにピン１６１ａがカム１１２ａの傾斜部Ｓ２とカム１１３ａの傾斜部Ｓ３に至り、保持アーム１１２とクランパアーム１１３とは共に矢印Ｂ方向へ揺動し、クランパ１０と第２のターンテーブル７はディスク面と略平行となる。
【００４２】
また、レバー１５０のピン１５１がモード切替え部材１３０のカム部１４０のカム溝１４２に案内されることによってレバー１５０が矢印Ｌ方向へ揺動し、第１３図（Ａ）および第１３図（Ｂ）に示すように角溝１５３と係合するピン１６３ａを有するサブベース組立体１１１を下降（矢印Ｕ１方向）させ、クランパ１０と第２のターンテーブル７とを互いに重ねあわせたまま、ディスク面と略平行に、カートリッジＣと干渉しない位置にまで下降待避する。
【００４３】
また、第１６図に示す第２区間および第３区間においては、案内ピン１４４とカム１１５ｂの係合により、引込みアーム１１５が矢印Ｃ方向へ回動し、クランパ１０を駆動させカートリッジＣが矢印Ｈ方向へ移動し、第１のターンテーブル５上に対して鉛直上に揃う所定の位置まで引き込む。その後、カートリッジＣがローディング機構（図示せず）によって下降（矢印Ｕ１方向）され、カートリッジＣに収納されている第１のディスクＡが第１のターンテーブル５に装着されて、再生動作を行う。また、カートリッジＣの排出動作では上記の装着動作とは逆の動作を行う。
【００４４】
なお、上記実施の形態１では、サブベース１６０が保持アーム１１２およびクランパアーム１１３を重ねあわせるように揺動可能に支持するように構成したが、クランパ１０を第２のディスクＢのクランプに用いない構成ではサブベース１６０が保持アーム１１２のみを支持し、あるいは第２のターンテーブル７を退避させる必要のない構成ではサブベース１６０がクランパアーム１１３のみを退避可能に支持するようにしてもよい。
【産業上の利用可能性】
【００４５】
以上のように、この発明に係るコンパチブルディスク装置は、第１のディスク再生に際しては、サブベースにより回動可能かつ昇降可能に支持された第２のターンテーブル又はクランパアームを第１のディスクの奥方かつ下方に待避させることができ、高さ寸法及び、奥行き寸法を小型化したコンパチブルディスク装置を得ることができる。
また、この発明に係るコンパチブルディスク装置は、アーム制御部材により退避動作時に保持アーム又はクランパアームの揺動を制御することができるので、第２のターンテーブル又はクランパの損傷を防止することができる。
また、この発明に係るコンパチブルディスク装置は、モード切替え部材による単一の駆動手段の動作で、第２のターンテーブル又はクランパの平面方向の回動動作と昇降動作を制御することができる。
また、この発明に係るコンパチブルディスク装置は、第１のディスクを装置内の所定位置へ引き込むための引込みアームをサブベース回動支軸と同軸に構成したので、第２のターンテーブル又はクランパの退避機構と、第１のディスクの引き込み機構をコンパクトに集約したコンパチブルディスク装置を得ることができる。
また、この発明に係るコンパチブルディスク装置は、モード切替え部材による単一の駆動手段の動作で、第２のターンテーブル又はクランパの上下方向の揺動動作の制御を、再生位置・退避位置の何れの位置でも行うことができるコンパチブルディスク装置を得ることができる。
【図面の簡単な説明】
【００４６】
第１図（Ａ）は第１のディスクが装置に挿入された状態の従来技術１に係るＭＤ−ＣＤコンパチブルディスク装置内部を示す正面図である。
第１図（Ｂ）は第１のディスクが再生位置に装着された状態の装置内部を示す正面図である。
第１図（Ｃ）は第２のディスクが再生位置に装着された状態の装置内部を示す正面図である。
第２図は従来技術２に係るＭＤ−ＣＤコンパチブルディスク装置におけるベース上に配置された各構成要素を示す斜視図である。
第３図は第２図に示した装置のディスクホルダの構成を示す斜視図である。
第４図（Ａ）から第４図（Ｃ）は第２図に示した装置のターンテーブルの退避動作を説明するための正面図である。
第５図はこの発明の実施の形態１によるコンパチブルディスク装置内の構成を示す斜視図である。
第６図は第５図の分解斜視図である。
第７図は第６図に示したサブベース組立体の分解斜視図である。
第８図はターンテーブルおよびクランパの構成を示す拡大断面図である。
第９図（Ａ）は第２のディスクＢを装填する前の状態を示す斜視図であり、第９図（Ｂ）は第９図（Ａ）中の矢印Ｘ方向からの矢視図である。
第１０図（Ａ）は第９図（Ａ）および第９図（Ｂ）に関連して第２のディスクＢを装填した状態を示す斜視図であり、第１０図（Ｂ）は第１０図（Ａ）中の矢印Ｘ方向からの矢視図である。
第１１図（Ａ）は第１のディスクＡを装置内に挿入する状態を示す斜視図であり、第１１図（Ｂ）は第１１図（Ａ）中の矢印Ｘ方向からの矢視図である。
第１２図（Ａ）は第１１図（Ａ）および第１１図（Ｂ）に関連して第１のディスクＡを装填する前に第２のターンテーブルおよびクランパを退避させた状態を示す斜視図であり、第１２図（Ｂ）は第１２図（Ａ）中の矢印Ｘ方向からの矢視図である。
第１３図（Ａ）は第１のディスクＡを装填した状態を示す斜視図であり、第１３図（Ｂ）は第１３図（Ａ）中の矢印Ｘ方向からの矢視図である。
第１４図（Ａ）から第１４図（Ｃ）はモード切替え部材に応動するカム部材の構成を示す平面図である。
第１５図（Ａ）から第１５図（Ｄ）はモード切替え部材に応動するアーム制御部材の構成を示す正面図である。
第１６図はこの実施の形態１によるコンパチブルディスク装置の各構成要素の動作を示すタイミングチャートである。
【図１】
0003749179.tif 000002
【図２】
0003749179.tif 000003
【図３】
0003749179.tif 000004
【図４】
0003749179.tif 000005
【図５】
0003749179.tif 000006
【図６】
0003749179.tif 000007
【図７】
0003749179.tif 000008
【図８】
0003749179.tif 000009
【図９】
0003749179.tif 000010
【図１０】
0003749179.tif 000011
【図１１】
0003749179.tif 000012
【図１２】
0003749179.tif 000013
【図１３】
0003749179.tif 000014
【図１４】
0003749179.tif 000015
【図１５】
0003749179.tif 000016
【図１６】
0003749179.tif 000017